【手続補正書】
【提出日】平成18年6月16日(2006.6.16)
【手続補正１】
【補正対象書類名】明細書
【補正対象項目名】特許請求の範囲
【補正方法】変更
【補正の内容】
【特許請求の範囲】
【請求項１】  入力および出力を有し、バーストモードに自動的に出入りできる非同期電圧モード切り換え調整器であって、
デューティサイクルを有するスイッチ回路と、
ＰＷＭ生成器と、固定最小非ゼロデューティーサイクル生成器と、入力と、出力とを含むパルス幅変調（ＰＷＭ）回路であって、該ＰＷＭ回路の出力が該スイッチ回路に接続され、該デューティサイクルが該ＰＷＭ回路によって設定され、該切り換え調整器が、該ＰＷＭ回路によって提供される信号に基づいてバーストモードに出入りする、パルス幅変調回路と、
該切り換え調整器の出力と該ＰＷＭ生成器の入力との間に接続され、該切り換え調整器の該出力における電圧から得られるフィードバック信号を該ＰＷＭ回路に提供する、フィードバック回路と、
を含む、非同期電圧モード切り換え調整器。
【請求項２】  前記スイッチ回路が、
前記切り換え調整器の入力に接続される第１の端部と、第２の端部とを有する、切り換え素子と、
該切り換え素子の該第２の端部と、該切り換え調整器の前記出力との間に接続された、インダクタと、
該切り換え素子の該第２の端部とアースとの間に接続された、ダイオードと、
該切り換え調整器の該出力と、アースとの間に接続された、出力キャパシタと、
を含む、請求項１に記載の切り換え調整器。
【請求項３】  前記ＰＷＭ生成器が、前記フィードバック回路に接続された第１の入力と、第２の入力と、出力とを含み、前記固定最小非ゼロデューティーサイクル生成器が、入力と出力とを含み、該ＰＷＭ生成器がさらに、
該ＰＷＭ生成器の該第２の入力に接続された第１の出力と、該固定最小非ゼロデューティーサイクル生成器の入力に接続された第２の出力と、第３の出力とを有する、マスタークロックと、
該ＰＷＭ生成器の前記出力に接続された第１の入力と、該固定最小非ゼロデューティーサイクル生成器の出力に接続された第２の入力と、該マスタークロックの該第３の出力に接続された第３の入力と、前記スイッチング回路に接続された出力とを有する、論理回路と、
を含む、請求項１に記載の切り換え調整器。
【請求項４】  前記論理回路が、
前記ＰＷＭ生成器の前記出力に接続されたＤ入力と、前記第３のクロック出力に接続されたクロック入力と、Ｑ出力とを有する、バーストフリップフロップと、
該ＰＷＭ生成器の該出力に接続された第１の入力と、前記固定最小非ゼロデューティーサイクル生成器の前記出力に接続された第２の入力と、出力とを有する、ＯＲゲートと、
該ＯＲゲートの該出力に接続された第１の入力と、該バーストフリップフロップの該Ｑ出力に接続された第２の入力と、前記スイッチ回路の前記デューティサイクルを設定するために該スイッチ回路に接続された出力とを有する、ＡＮＤゲートと、
を含む、請求項３に記載の切り換え調整器。
【請求項５】  前記フィードバック回路が、基準電圧に接続された正の端子と、前記切り換え調整器の前記出力に接続された負の端子と、前記ＰＷＭ回路の前記入力に接続された出力端子とを有する、フィードバック増幅器を含む、請求項１に記載の切り換え調整器。
【請求項６】  入力と出力とを有する同期電圧モード切り換え調整器であって、自動的にバーストモードに出入りすることが可能な該切り換え調整器が、
第１のデューティサイクルと第２のデューティサイクルとを有するスイッチ回路であって、該第２のデューティサイクルは該第１のデューティサイクルと実質的に位相ずれしているスイッチ回路と、
パルス幅変調（ＰＷＭ）回路であって、ＰＷＭ生成器と、固定最小非ゼロデューティーサイクル生成器と、入力と、出力とを有し、該ＰＷＭ回路の前記出力は該スイッチ回路に接続され、該第１のデューティサイクルは該ＰＷＭ回路によって設定され、該第２のデューティサイクルは該ＰＷＭ回路によって部分的に設定され、該切り換え調整器は、該ＰＷＭ回路によって提供される信号に基づいてバーストモードに出入りする、パルス幅変調回路と、
該切り換え調整器の前記出力と該ＰＷＭ回路の入力との間に接続され、該切り換え調整器の該出力における電圧から引き出されるフィードバック信号を該ＰＷＭ回路に提供するフィードバック回路と、
を備えた同期電圧モード切り換え調整器。
【請求項７】  前記スイッチ回路は、
第１の端部と第２の端部とを有する第１の切り換え素子であって、該第１の端部は前記切り換え調整器の前記入力に接続され、該第１の切り換え素子が前記ＰＷＭ回路によって供給される前記第１のデューティサイクルに応答して開閉するように、該ＰＷＭ回路に接続される第１の切り換え素子と、
該第１の切り換え素子の該第２の端部と該切り換え調整器の前記出力との間に接続されるインダクタと、
該ＰＷＭ回路の前記出力と該第１の切り換え素子の該第２の端部との間に接続される第２の切り換え素子であって、前記第２のデューティサイクルに応答して部分的に開閉する第２の切り換え素子と、
該切り換え調整器の該出力とアースとの間に接続される出力キャパシタと、
を備えている、請求項６に記載の切り換え調整器。
【請求項８】  前記第２の切り換え素子は、
負の端子と正の端子と出力端子とを有する比較器であって、該正の端子は前記第１の切り換え素子の前記第２の端部に接続され、該負の端子はアースに接続される、比較器と、
該比較器の該出力端子に接続される入力と、出力とを有する、立ち上がりエッジ検出器と、
Ｒ入力とＳ入力とＱ出力とを有するＲＳラッチフリップフロップであって、該Ｓ入力は該立ち上がりエッジ検出器の該出力に接続され、該Ｒ入力は前記ＰＷＭ回路の前記出力に接続される、ＲＳラッチフリップフロップと、
第１の入力と第２の入力と出力とを有するＮＯＲゲートであって、該第１の入力は該ＰＷＭ回路の該出力に接続され、該第２の入力は該ＲＳラッチフリップフロップの該Ｑ出力に接続され、そして該ＮＯＲゲートの該出力は該第２の切り換え素子に接続され、これにより該ＮＯＲゲートは該第２の切り換え素子のために前記デューティサイクルを提供する、ＮＯＲゲートと、
を備えている、請求項７に記載の切り換え調整器。
【請求項９】  前記第２の切り換え素子は、
該第２の切り換え素子の前記第２の端部とアースとの間に接続される抵抗素子と、
負の端子と正の端子と出力端子とを有する比較器であって、該正の端子は前記第１の切り換え素子の前記第１の端部に接続され、該負の端子はアースに接続される、比較器と、
該比較器の該出力端子に接続される入力と、出力とを有する立ち上がりエッジ検出器と、
Ｒ入力とＳ入力とＱ出力とを有するＲＳラッチフリップフロップであって、該Ｓ入力は該立ち上がりエッジ検出器の該出力に接続され、該Ｒ入力は前記ＰＷＭ回路の前記出力に接続される、ＲＳラッチフリップフロップと、
第１の入力と第２の入力と出力とを有するＮＯＲゲートであって、該第１の入力は該ＰＷＭ回路の該出力に接続され、該第２の入力は該ＲＳラッチフリップフロップの該Ｑ出力に接続され、そして該ＮＯＲゲートの該出力は該第２の切り換え素子に接続され、これにより該ＮＯＲゲートの該出力は該第２の切り換え素子を開閉する、ＮＯＲゲートと、
を備えている、請求項７に記載の切り換え調整器。
【請求項１０】  前記第２の切り換え素子は、
該第２の切り換え素子の前記第２の端部とアースとの間に接続される抵抗素子と、
負の端子と正の端子と出力端子とを有する比較器であって、該正の端子は該第２の切り換え素子の該第２の端部に接続され、該負の端子はアースに接続される、比較器と、
該比較器の該出力端子に接続される入力と、出力とを有する立ち上がりエッジ検出器と、
Ｒ入力とＳ入力とＱ出力とを有するＲＳラッチフリップフロップであって、該Ｓ入力は該立ち上がりエッジ検出器の該出力に接続され、該Ｒ入力は前記ＰＷＭ回路の前記出力に接続される、ＲＳラッチフリップフロップと、
第１の入力と第２の入力と出力とを有するＮＯＲゲートであって、該第１の入力は該ＰＷＭ回路の該出力に接続され、該第２の入力は該ＲＳラッチフリップフロップの該Ｑ出力に接続され、そして該ＮＯＲゲートの出力は該第２の切り換え素子に接続され、これにより該ＮＯＲゲートの該出力は該第２の切り換え素子を開閉する、ＮＯＲゲートと、
を備えている、請求項７に記載の切り換え調整器。
【請求項１１】  前記ＰＷＭ生成器は、前記フィードバック回路に接続される第１の入力と、第２の入力と、出力とを備え、前記固定最小非ゼロデューティーサイクル生成器は入力と出力とを備え、そして、前記ＰＷＭ回路は、
入力と出力とを有する固定最小非ゼロデューティーサイクル生成器と、
該ＰＷＭ生成器の該第２の入力に接続される第１の出力と、該固定最小非ゼロデューティーサイクル生成器の該入力に接続される第２の出力と、前記バーストフリップフロップの前記クロック入力に接続される第３の出力とを有するマスタークロックと、
該ＰＷＭ生成器の該出力に接続される第１の入力と、該固定最小非ゼロデューティーサイクル生成器の該出力に接続される第２の入力と、該マスタークロックの第３の出力に接続される第３の入力と、前記スイッチ回路に接続される出力とを有する論理回路と、
をさらに備えている、請求項６に記載の切り換え調整器。
【請求項１２】  前記論理回路は、
前記ＰＷＭ生成器の前記出力に接続されるＤ入力と、クロック入力と、Ｑ出力とを有するバーストフリップフロップと、
該ＰＷＭ生成器の前記第２の入力に接続される第１の出力と、前記固定最小非ゼロデューティーサイクル生成器の前記入力に接続される第２の出力と、該バーストフリップフロップの該クロック入力に接続される第３の出力とを有するマスタークロックと、
該ＰＷＭ生成器の該出力に接続される第１の入力と、該固定最小非ゼロデューティーサイクル生成器の該出力に接続される第２の入力と、出力とを有するＯＲゲートと、
該ＯＲゲートの該出力に接続される第１の入力と、該バーストフリップフロックの該Ｑ出力に接続される第２の入力と、前記スイッチ回路に接続される出力とを有するＡＮＤゲートと、
を備えている、請求項１１に記載の切り換え調整器。
【請求項１３】  前記フィードバック回路は、基準電圧に接続される正の端子と、前記切り換え調整器の前記出力に接続される負の端子と、前記ＰＷＭ回路に接続される出力端子とを有するフィードバック増幅器を備えている、請求項６に記載の切り換え調整器。
【請求項１４】  入力と出力とを有する非同期ステップアップ電圧モード切り換え調整器であって、自動的にバーストモードに出入りすることが可能な該切り換え調整器は、
デューティサイクルを有するスイッチ回路と、
パルス幅変調（ＰＷＭ）回路であって、ＰＷＭ生成器と、固定最小非ゼロデューティーサイクル生成器と、入力と、出力とを有し、該ＰＷＭ回路の該出力は該スイッチ回路に接続され、該デューティサイクルは該ＰＷＭ回路によって設定され、該切り換え調整器は、該ＰＷＭ回路によって提供される信号に基づいてバーストモードに出入りする、パルス幅変調回路と、
該切り換え調整器の出力と該ＰＷＭ回路の該入力との間に接続され、該切り換え調整器の該出力において電圧に対応するフィードバック信号を該ＰＷＭ回路に提供するフィードバック回路と、
を備えた非同期ステップアップ電圧モード切り換え調整器。
【請求項１５】  前記スイッチ回路が、
第１の端部と第２の端部とを有するインダクタであって、該第１の端部は前記切り換え調整器の前記入力に接続される、インダクタと、
該インダクタの該第２の端部とアースとの間に接続される切り換え素子と、
該インダクタの該第２の端部と該切り換え調整器の前記出力との間に接続されるダイオードと、
該切り換え調整器の該出力とアースとの間に接続される出力キャパシタと、
を備えている、請求項１４に記載の切り換え調整器。
【請求項１６】  前記ＰＷＭ生成器は、前記フィードバック回路に接続される第１の入力と、第２の入力と、出力とを備え、前記固定最小非ゼロデューティーサイクル生成器は入力と出力とを備え、そして、前記ＰＷＭ回路は、
該ＰＷＭ生成器の該第２の入力に接続される第１の出力と、該固定最小非ゼロデューティーサイクル生成器の該入力に接続される第２の出力と、第３の出力とを有するマスタークロックと、
該ＰＷＭ生成器の該出力に接続される第１の入力と、該固定最小非ゼロデューティーサイクル生成器の該出力に接続される第２の入力と、前記マスタークロックの前記第３の出力に接続される第３の入力と、前記スイッチ回路に接続される出力とを有する論理回路と、
をさらに備えている、請求項１４に記載の切り換え調整器。
【請求項１７】  前記論理回路は、
前記ＰＷＭ生成器の前記出力に接続されるＤ入力と、前記第３のクロック出力に接続されるクロック入力と、Ｑ出力とを有するバーストフリップフロップと、
該ＰＷＭ生成器の該出力に接続される第１の入力と、前記該固定最小非ゼロデューティーサイクル生成器の前記出力に接続される第２の入力と、出力とを有するＯＲゲートと、
該ＯＲゲートの該出力に接続される第１の入力と、該バーストフリップフロップの該Ｑ出力に接続される第２の入力と、該ＡＮＤゲートが前記スイッチ回路のための前記第１のデューティサイクルを設定するように該スイッチ回路に接続される出力とを有するＡＮＤゲートと、
を備えている、請求項１６に記載の切り換え調整器。
【請求項１８】  前記フィードバック回路は、基準電圧に接続される正の端子と、前記切り換え調整器の前記出力に接続される負の端子と、前記ＰＷＭ回路の入力に接続される出力端子とを有するフィードバック増幅器を備えている、請求項１４に記載の切り換え調整器。
【請求項１９】  入力および出力を有し、バーストモードに自動的に出入りできる同期セットアップ電圧モード切り換え調整器であって、
該切り換え調整器の該入力に接続された第１の端部と、第２の端部とを有する、インダクタと、
第１のデューティサイクルを有し、該インダクタの該第２の端部とアースとの間に接続された、第１の電源スイッチと、
該インダクタの該第２の端部に接続された第１の端部と、該切り換え調整器の該出力に接続された第２の端部とを有し、第２のデューティサイクルを有する、第２の電源スイッチと、
該切り換え調整器の該出力に接続された正の端子と、該インダクタの該第２の端部に接続された負の端子と、出力とを有する、比較器と、
該比較器の該出力端子に接続された入力と、出力とを有する、立ち上がりエッジ検出器と、
前記ＰＷＭ回路の前記出力に接続されたＲ入力と、該立ち上がりエッジ検出器の出力に接続されたＳ入力と、Ｑ入力とを有する、ラッチフリップフロップと、
該ラッチフリップフロップの該Ｑ入力に接続された第１の入力と、第２の入力と、該第２の電源スイッチに第２のデューティサイクルを提供するために該第２の電源スイッチに接続された出力とを有する、ＮＯＲゲートと、
該切り換え調整器の該出力とアースとの間に接続されたキャパシタと、
基準電圧に接続された正の端子と、該切り換え調整器の出力に接続された負の端子と、出力端子とを有する、フィードバック増幅器と、
該フィードバック増幅器の該出力端子に接続された第１の入力と、第２の入力と、出力とを有する、ＰＷＭ生成器と、
入力と、出力とを有する、固定最小非ゼロデューティーサイクル生成器と、
該ＰＷＭ生成器の該出力に接続されたＤ入力と、クロック入力と、Ｑ出力とを有する、バーストフリップフロップと、
該ＰＷＭ生成器の該第２の入力に接続された第１の出力と、該固定最小非ゼロデューティーサイクル生成器の該入力に接続された第２の出力と、該バーストフリップフロップの該クロック入力に接続された第３の出力とを有する、マスタークロックと、
該ＰＷＭ生成器の該出力に接続された第１の入力と、該固定最小非ゼロデューティーサイクル生成器の該出力に接続された第２の入力と、出力とを有する、ＯＲゲートと、
該ＯＲゲートの該出力に接続された第１の入力と、該バーストフリップフロップの該Ｑ出力に接続された第２の入力と、該ラッチフリップフロップの該Ｒ入力と該ＮＯＲゲートの該第２の入力に接続され、且つ前記スイッチ回路の前記デューティサイクルを設定するために該第１の電源スイッチに接続された出力とを有する、ＡＮＤゲートと、
を含む、同期セットアップ電圧モード切り換え調整器。
【請求項２０】  入力および出力を有する非同期電圧モード切り換え調整器であって、該切り換え調整器は、バーストモードに自動的に出入りすることが可能であり、該切り換え調整器は、
デューティーサイクルを有するスイッチ回路と、
ＰＷＭ生成器と、独立な固定最小非ゼロデューティーサイクル生成器と、入力と、出力とを有するパルス幅変調（ＰＷＭ）回路であって、該ＰＷＭ回路の出力は該スイッチ回路に接続され、該デューティーサイクルは該ＰＷＭ回路によって設定され、該切り換え調整器は、該ＰＷＭ回路によって提供された信号に基づいてバーストモードに出入りする、パルス幅変調回路と、
該切り換え調整器の出力と該ＰＷＭ生成器の入力との間に接続され、該切り換え調整器の出力における電圧から得られるフィードバック信号を該ＰＷＭ回路に提供するフィードバック回路と
を含み、
該フィードバック信号は、該デューティーサイクルを設定するためのものであり、
軽荷状態において、該独立なデューティーサイクル生成器は、該ＰＷＭ回路に最小の信号を提供し、該フィードバックがゼロデューティーサイクルを設定するまで、該フィードバック回路による設定よりも高いレベルで該デューティーサイクルを維持し、その時点において、該切り換え調整器がバーストモードに入る、切り換え調整器。
【請求項２１】  入力および出力を有する同期電圧モード切り換え調整器であって、該切り換え調整器は、バーストモードに自動的に出入りすることが可能であり、該切り換え調整器は、
第１のデューティーサイクルと第２のデューティーサイクルとを有するスイッチ回路であって、該第２のデューティーサイクルは該第１のデューティーサイクルと実質的に位相ずれしている、スイッチ回路と、
ＰＷＭ生成器と、独立な固定最小非ゼロデューティーサイクル生成器と、入力と、出力とを有するパルス幅変調（ＰＷＭ）回路であって、該ＰＷＭ回路の出力は該スイッチ回路に接続され、該第１のデューティーサイクルは該ＰＷＭ回路によって設定され、該第２のデューティーサイクルは該ＰＷＭ回路によって部分的に設定され、該切り換え調整器は、該ＰＷＭ回路によって提供された信号に基づいてバーストモードに出入りする、パルス幅変調回路と、
該切り換え調整器の出力と該ＰＷＭ回路の入力との間に接続され、該切り換え調整器の出力における電圧から得られるフィードバック信号を該ＰＷＭ回路に提供するフィードバック回路と
を含み、
該フィードバック信号は、該第１のデューティーサイクルを設定し、該第２のデューティーサイクルを部分的に設定するためのものであり、
軽荷状態において、該独立なデューティーサイクル生成器は、該ＰＷＭ回路に最小の信号を提供し、該フィードバックがゼロデューティーサイクルを設定するまで、該フィードバック回路による設定よりも高いレベルで該第１のデューティーサイクルを維持し、その時点において、該切り換え調整器がバーストモードに入る、切り換え調整器。
【請求項２２】  入力および出力を有する非同期ステップアップ電圧モード切り換え調整器であって、該切り換え調整器は、バーストモードに自動的に出入りすることが可能であり、該切り換え調整器は、
デューティーサイクルを有するスイッチ回路と、
ＰＷＭ生成器と、独立な固定最小非ゼロデューティーサイクル生成器と、入力と、出力とを有するパルス幅変調（ＰＷＭ）回路であって、該ＰＷＭ回路の出力は該スイッチ回路に接続され、該デューティーサイクルは該ＰＷＭ回路によって設定され、該切り換え調整器は、該ＰＷＭ回路によって提供された信号に基づいてバーストモードに出入りする、パルス幅変調回路と、
該切り換え調整器の出力と該ＰＷＭ回路の入力との間に接続され、該切り換え調整器の該出力における電圧に対応するフィードバック信号を該ＰＷＭ回路に提供するフィードバック回路と
を含み、
該フィードバック信号は、該デューティーサイクルを設定するためのものであり、
軽荷状態において、該独立なデューティーサイクル生成器は、該ＰＷＭ回路に最小の信号を提供し、該フィードバックがゼロデューティーサイクルを設定するまで、該フィードバック回路による設定よりも高いレベルで該デューティーサイクルを維持し、その時点において、該切り換え調整器がバーストモードに入る、切り換え調整器。